(57)【要約】【課題】  乳幼児の頭頂部を保護し、また移動板をスムーズに摺動できるようにする。【解決手段】  固定板３の内向面にクッション板３ａを取り付ける。垂直板４および掴み片６の各底面にすべり材８を取り付けて台板１の上面に当接する。すべり材８の表面を移動板７の摺動方向と平行な凹凸形状にする。摺動手段として台板１の両側縁を断面凸弧状に形成するとともに、断面凸弧状の両側縁に略点接触する断面凹弧部５ａ、５ａを両側板５、５に形成する。【選択図】        図１
2011062284.tif 000002
【特許請求の範囲】
【請求項１】
台板の側縁に沿い、しかも前記台板上面に目盛を設け、また前記台板の一端に固定板を立設し、さらに垂直板の両端に固定した側板を前記台板の両側縁に沿って摺動自在に設けるとともに、前記垂直板の中央に掴み片を後向きに固定して移動板を形成し、しかも前記垂直板および前記掴み片の各底面と前記台板の上面とに間隙を設けた乳幼児用身長計において、前記固定板の内向面にクッション板を取り付け、前記垂直板および前記掴み片の各底面にすべり材を取り付けて前記台板の上面に当接し、前記すべり材の表面を前記移動板の摺動方向と平行な凹凸形状にし、また前記摺動手段として前記台板の両側縁を断面凸弧状に形成するとともに、前記断面凸弧状の両側縁に略点接触する断面凹弧部を前記両側板に形成することを特徴とする乳幼児用身長計。
【請求項２】
すべり材が垂直板の底面の左右近傍および掴み片の底面の外端近傍に位置することを特徴とする請求項１の乳幼児用身長計。
【請求項３】
すべり材が表面すべり特性を有する合成樹脂材の裏面に粘着剤を塗布したテープの断片であることを特徴とする請求項１または２の乳幼児用身長計。
【発明の詳細な説明】
【技術分野】
【０００１】
本発明は保育所等で乳幼児の身長を計測する身長計に関する。
【背景技術】
【０００２】
従来から図５、６で示すように台板１の側縁に沿い、しかも台板１上面に目盛２を設け、また台板１の一端に固定板３を立設し、さらに垂直板４の両端に固定した側板５、５を台板１の両側縁に沿って摺動自在に設けるとともに、垂直板４の中央に掴み片６を後向きに固定して移動板７を形成し、しかも垂直板４および掴み片６の各底面と台板１の上面とに間隙ｇを設けた乳幼児用身長計が使用されている。
【先行技術文献】
【特許文献】
【０００３】
【特許文献１】なし。
【非特許文献】
【０００４】
【非特許文献１】なし。
【発明の概要】
【発明が解決しようとする課題】
【０００５】
従来例は全体が木製であり、乳幼児を仰向けにして台板１上にねかせた場合、頭頂部が固定板３に直接当接、場合によっては必要以上に圧接することがあり、乳幼児にとって固すぎて不都合である。
【０００６】
また移動板７をスムーズに摺動させるべく前記間隙ｇを設けたものの、図６で示すように台板１の両側縁を断面台形にし、これに側板５を嵌合しているため、移動板７の重量を台形上斜面１０、１０で受けてしまい、接触摩擦が大きく、移動板７の摺動性が良好ではない。
【０００７】
本発明は前記不都合を解消し、乳幼児の頭頂部を保護し、また移動板をスムーズに摺動できるようにすることを課題とする。
【課題を解決するための手段】
【０００８】
第１の本発明は、台板の側縁に沿い、しかも前記台板上面に目盛を設け、また前記台板の一端に固定板を立設し、さらに垂直板の両端に固定した側板を前記台板の両側縁に沿って摺動自在に設けるとともに、前記垂直板の中央に掴み片を後向きに固定して移動板を形成し、しかも前記垂直板および前記掴み片の各底面と前記台板の上面とに間隙を設けた乳幼児用身長計において、前記固定板の内向面にクッション板を取り付け、前記垂直板および前記掴み片の各底面にすべり材を取り付けて前記台板の上面に当接し、前記すべり材の表面を前記移動板の摺動方向と平行な凹凸形状にし、また前記摺動手段として前記台板の両側縁を断面凸弧状に形成するとともに、前記断面凸弧状の両側縁に略点接触する断面凹弧部を前記両側板に形成することを特徴とするものである。
【０００９】
第２の本発明は、前記第１の本発明の手段に加え、すべり材が垂直板の底面の左右近傍および掴み片の底面の外端近傍に位置することを特徴とするものである。
【００１０】
第３の本発明は、前記第１または２の本発明の手段に加え、すべり材が表面すべり特性を有する合成樹脂材の裏面に粘着剤を塗布したテープの断片であることを特徴とするものである。
【発明の効果】
【００１１】
第１の本発明によれば、乳幼児の頭頂部はクッション板に当接し、強く接触することがなく安全である。
【００１２】
また移動板の重量を摺動方向と平行な凹凸形状のすべり材を介して台板が受け、しかも断面凸弧状に形成した台板の両側縁に、略点接触する断面凹弧部を有する両側板が摺動するので接触摩擦が小さく、スムーズに摺動し、迅速かつ容易に計測することができる。
【００１３】
第２の本発明によれば、第１の本発明の効果に加え、すべり材が仮想三角形の頂点に位置し、安定性が良好である。
【００１４】
第３の本発明によれば、第１の本発明の効果に加え、断片を貼着するだけで、極めて容易に製造することができる。
【図面の簡単な説明】
【００１５】
【図１】本発明の斜視図である。
【図２】移動板と台板のＡ−Ａ断面図である。
【図３】同上の部分拡大図である。
【図４】移動板の底面図である。
【図５】従来例の斜視図である。
【図６】従来の移動板と台板のＢ−Ｂ断面図である。
【発明を実施するための形態】
【００１６】
台板１、固定板３、移動板７、台板１の足片１１、１１・・・、台板１他端上に固着する細長板１２を木例えば木質繊維を原料とする成型板、より具体的にはＭＤＦ合板（中質繊維板）で形成する。撓むことなく、正確に計測でき、また極めて安価に得ることができるからである。
【００１７】
台板１の両側縁を図２で示すように断面凸弧状に形成する。一方の側縁に沿い、しかも台板１上に嵌合溝１３を形成し、この嵌合溝１３に粘着剤１５を介して合成樹脂製の目盛２を貼着する。
【００１８】
台板１の一端に固定板３を立設する。図１のように台板１の一端と固定板３の内向面を雌雄嵌合しても、これに螺子止めしてもよく、いずれにしても前記両部品を固定結合すればよい。
【００１９】
固定板３の内向面にクッション板３ａ、例えばＥＶＡ樹脂発砲体からなる薄板状のクッション板３ａを貼着する。柔軟性、軽量性および耐久性の点ですぐれているからである。
【００２０】
台板１の他端上に細長板１２を台板１長手方向に対し直角方向に固定する。後述の移動板７の抜け止めである。
【００２１】
台板１の長手方向に対して直角方向に位置する垂直板４の両端に側板５、５を固定する。固定手段は図１のように雌雄嵌合しても、これに螺子止めしてもよく、いずれにしても前記両部品を固定結合すればよい。
【００２２】
各側板５の下方で、かつ台板１の各側縁に対向する位置に、台板１の断面凸弧状の側縁に略点接触する断面凹弧部５ａを形成し、また垂直板４の中央に掴み片６を後方に向けて固定して移動板７を形成し、この掴み片６と垂直板４の各底面とが台板１に当接しないように図２で示す間隙ｇをおいて台板１に移動板７を摺動自在に取り付ける。
【００２３】
垂直板４および掴み片６の各底面にすべり材８を取り付け、すべり材８を台板１の上面に当接する。このすべり材８は表面すべり特性を有する合成樹脂材８ａ、例えばフッ素樹脂（登録商標：テフロン）等の滑り性に優れたシート状の合成樹脂材の表面に凹凸形状を有し、裏面に粘着剤８ｂを塗布し、粘着剤８に図示を省略した剥離紙を剥離可能に被着したテープの断片からなるもので、３個の断片の剥離紙を剥離し、図３、４で示すように垂直板４の底面の左右近傍および掴み片６の底面の外端近傍、つまり図４の仮想三角形の各頂点位置に貼着し、しかも前記合成樹脂材８ａの表面を台板１の長手方向と平行な凹凸形状に形成する。なお符号１１は台板１に固着した足片で、接床して台板１を水平に保持する。
【００２４】
次に本実施の形態の使用法を説明すれば、図１の仮想線で示すように乳幼児を台板１上に仰向けにしてねかせ、乳幼児の頭頂点をクッション板３ａにつけ、両膝をかるく台板１に押さえて下肢を伸長させ、掴み片６を掴んで移動板７を摺動し、乳幼児の足裏に垂直板４を当てて目盛を視認して計測する。
【００２５】
このとき移動板７の重量は３個の断片からなるすべり材８を介して台板１にかかり、しかもすべり材８の表面は前記合成樹脂材８ａの表面を移動板７の摺動方向と平行な凹凸形状に形成してあり、接触面積が少なく、また台板１の各側縁と各側板５の断面凹弧部５ａとは断面略点接触しているので、こちらも接触面積が少なく、移動板７はスムーズに摺動する。
【００２６】
なお移動板７は上方に抜けなければよく、前記凹凸の略点接触で充分であり、試作品により確認できたものである。
【符号の説明】
【００２７】
１  台板
２  目盛
３  固定板
３ａ  クッション板
４  垂直板
５  側板
５ａ  断面凹弧部
６  掴み片
７  移動板
８  すべり材
８ａ  合成樹脂材
８ｂ  粘着剤
【図１】
2011062284.tif 000003
【図２】
2011062284.tif 000004
【図３】
2011062284.tif 000005
【図４】
2011062284.tif 000006
【図５】
2011062284.tif 000007
【図６】
2011062284.tif 000008